(57)【要約】【課題】ユーザの利便性を向上させることを課題とする。【解決手段】タブレット端末は、タッチパネルを有する。そして、タブレット端末は、タッチパネルに対する所定の操作に応じて、表示対象の表示位置の移動又は表示対象の切り替え制御を行う。このようなタブレット端末は、入力デバイスの接近を検出する。そして、タブレット端末は、入力デバイスの接近が検出されると、タッチパネルに表示した表示対象の、所定の操作に応じた表示位置の移動又は切り替えを規制する。【選択図】図１
2017083973.tif 000002
【特許請求の範囲】
【請求項１】
タッチパネルに対する所定の操作に応じて、表示対象の表示位置の移動又は表示対象の切り替え制御を行う表示端末装置において、
入力デバイスの接近を検出する検出部と、
前記検出部により前記入力デバイスの接近が検出されると、前記タッチパネルに表示した前記表示対象の、前記所定の操作に応じた表示位置の移動又は切り替えを規制する制御部と、
を備えたことを特徴とする表示端末装置。
【請求項２】
タッチパネルと、
入力デバイスの前記タッチパネルに対する接近を検出する検出部と、
前記検出部による前記入力デバイスの接近を検出すると、該入力デバイスの接近前では前記タッチパネルに表示した表示対象の表示位置を移動させる前記タッチパネルに対する所定の操作を検出しても、前記表示対象の表示位置は移動させない制御部、
を備えたことを特徴とする表示端末装置。
【請求項３】
タッチパネルに対する入力デバイスの接近を検出すると、前記タッチパネルに表示する表示対象の位置を変更する所定の操作を受け付けても、前記位置の変更を抑制し、かつ、前記タッチパネルに対する前記入力デバイスによる入力軌跡に応じた前記タッチパネル上の表示を行わせる制御部、
を備えたことを特徴とする表示端末装置。
【請求項４】
前記所定の操作はスワイプ操作である、ことを特徴とする請求項１乃至３の何れかに記載の表示端末装置。
【請求項５】
前記所定の操作は、前記タッチパネル上で前記入力デバイスを握った手を動かす操作であることを特徴とする請求項１乃至３の何れかに記載の表示端末装置。
【請求項６】
タッチパネルと、
入力デバイスの前記タッチパネルに対する接近を検出する検出部と、
前記検出部による前記入力デバイスの接近を検出すると、前記タッチパネルに表示した表示対象の表示位置の移動を規制する、又は、前記タッチパネルに表示した表示対象の表示位置の移動をメニューを用いた指示に制限する制御部、
を備えたことを特徴とする表示端末装置。
【請求項７】
前記入力デバイスはタッチペンであることを特徴とする請求項１乃至６の何れかに記載の表示端末装置。
【請求項８】
タッチパネルによる入力デバイスの接近の検出に応じて、生体による表示対象を移動させる所定の操作を受け付けず、前記入力デバイスによる前記タッチパネルへの文字の入力を受け付けるモードに遷移させる制御部、
を備えることを特徴とする表示端末装置。
【請求項９】
前記接近は、閾値以上の静電容量値が検出された前記タッチパネル上の領域の大きさが所定値以下であること、または、前記タッチパネルが検出する前記入力デバイスから出力される電磁波が閾値以上であることを特徴とする請求項１乃至８の何れかに記載の表示端末装置。
【請求項１０】
タッチパネルに対する所定の操作に応じて、表示対象の表示位置の移動又は表示対象の切り替え制御を行う表示端末装置が、
入力デバイスの接近を検出する処理と、
前記入力デバイスの接近が検出されると、前記タッチパネルに表示した前記表示対象の、前記所定の操作に応じた表示位置の移動又は切り替えを規制する処理と、
を実行することを特徴とする表示制御方法。
【請求項１１】
コンピュータが、
入力デバイスのタッチパネルに対する接近を検出する処理と、
前記入力デバイスの接近を検出すると、該入力デバイスの接近前では前記タッチパネルに表示した表示対象の表示位置を移動させる前記タッチパネルに対する所定の操作を検出しても、前記表示対象の表示位置は移動させない処理と
を実行することを特徴とする表示制御方法。
【請求項１２】
コンピュータが、
タッチパネルに対する入力デバイスの接近を検出すると、前記タッチパネルに表示する表示対象の位置を変更する所定の操作を受け付けても、前記位置の変更を抑制し、かつ、前記タッチパネルに対する前記入力デバイスによる入力軌跡に応じた前記タッチパネル上の表示を行わせる処理、
を実行することを特徴とする表示制御方法。
【請求項１３】
コンピュータが、
入力デバイスのタッチパネルに対する接近を検出する処理と、
前記入力デバイスの接近を検出すると、前記タッチパネルに表示した表示対象の表示位置の移動を規制する、又は、前記タッチパネルに表示した表示対象の表示位置の移動をメニューを用いた指示に制限する処理と、
を実行することを特徴とする表示制御方法。
【請求項１４】
コンピュータが、
タッチパネルによる入力デバイスの接近の検出に応じて、生体による表示対象を移動させる所定の操作を受け付けず、前記入力デバイスによる前記タッチパネルへの文字の入力を受け付けるモードに遷移させる処理、
を実行することを特徴とする表示制御方法。
【請求項１５】
タッチパネルに対する所定の操作に応じて、表示対象の表示位置の移動又は表示対象の切り替え制御を行う表示端末装置に、
入力デバイスの接近を検出する処理と、
前記入力デバイスの接近が検出されると、前記タッチパネルに表示した前記表示対象の、前記所定の操作に応じた表示位置の移動又は切り替えを規制する処理と、
を実行させることを特徴とする表示制御プログラム。
【請求項１６】
コンピュータに、
入力デバイスのタッチパネルに対する接近を検出する処理と、
前記入力デバイスの接近を検出すると、該入力デバイスの接近前では前記タッチパネルに表示した表示対象の表示位置を移動させる前記タッチパネルに対する所定の操作を検出しても、前記表示対象の表示位置は移動させない処理と
を実行させることを特徴とする表示制御プログラム。
【請求項１７】
コンピュータに、
タッチパネルに対する入力デバイスの接近を検出すると、前記タッチパネルに表示する表示対象の位置を変更する所定の操作を受け付けても、前記位置の変更を抑制し、かつ、前記タッチパネルに対する前記入力デバイスによる入力軌跡に応じた前記タッチパネル上の表示を行わせる処理、
を実行させることを特徴とする表示制御プログラム。
【請求項１８】
コンピュータに、
入力デバイスのタッチパネルに対する接近を検出する処理と、
前記入力デバイスの接近を検出すると、前記タッチパネルに表示した表示対象の表示位置の移動を規制する、又は、前記タッチパネルに表示した表示対象の表示位置の移動をメニューを用いた指示に制限する処理と、
を実行させることを特徴とする表示制御プログラム。
【請求項１９】
コンピュータに、
タッチパネルによる入力デバイスの接近の検出に応じて、生体による表示対象を移動させる所定の操作を受け付けず、前記入力デバイスによる前記タッチパネルへの文字の入力を受け付けるモードに遷移させる処理、
を実行させることを特徴とする表示制御プログラム。
【発明の詳細な説明】
【技術分野】
【０００１】
本発明は、表示端末装置、表示制御方法および表示制御プログラムに関する。
【背景技術】
【０００２】
タッチパネルを有する携帯電話やタブレット端末などの電子装置が利用されている。このような電子装置は、タッチパネル上で、タッチペンや指による画面操作を行うことができる。例えば、電子装置は、２つの操作モードを有しており、予め指定したボタンなどがクリックされると、２つの操作モードを切り替え、文字入力や画面の拡大縮小などの各種処理を実行する。
【先行技術文献】
【特許文献】
【０００３】
【特許文献１】特開２００７−２３３６４９号公報
【発明の概要】
【発明が解決しようとする課題】
【０００４】
しかしながら、上記技術では、操作モードを切り替える場合に、ボタン操作などの手動を毎回行うことになるので、ユーザの利便性が悪い。例えば、手による拡大縮小やタッチペンによる文字入力を頻繁に繰り返す場合は特に煩わしく、ユーザの利便性がさらに低下する。
【０００５】
１つの側面では、ユーザの利便性を向上させることができる表示端末装置、表示制御方法および表示制御プログラムを提供することを目的とする。
【課題を解決するための手段】
【０００６】
第１の案では、表示端末装置は、タッチパネルに対する所定の操作に応じて、表示対象の表示位置の移動又は表示対象の切り替え制御を行う。表示端末装置は、入力デバイスの接近を検出する検出部を有する。表示端末装置は、前記検出部により前記入力デバイスの接近が検出されると、前記タッチパネルに表示した前記表示対象の、前記所定の操作に応じた表示位置の移動又は切り替えを規制する制御部を有する。
【発明の効果】
【０００７】
一実施形態によれば、ユーザの利便性を向上させることができる。
【図面の簡単な説明】
【０００８】
【図１】図１は、実施例１にかかるタブレット端末を説明する図である。
【図２】図２は、実施例１にかかるタブレット端末の機能構成例を示す機能ブロック図である。
【図３】図３は、ペン操作を説明する図である。
【図４】図４は、指操作を説明する図である。
【図５】図５は、操作切替を説明する図である。
【図６】図６は、処理の流れを示すフローチャートである。
【図７】図７は、表示例を説明する図である。
【図８】図８は、ハードウェア構成例を説明する図である。
【発明を実施するための形態】
【０００９】
以下に、本願の開示する表示端末装置、表示制御方法および表示制御プログラムの実施例を図面に基づいて詳細に説明する。なお、この実施例によりこの発明が限定されるものではない。また、各実施例は、矛盾のない範囲内で適宜組み合わせることができる。
【実施例１】
【００１０】
［全体構成］
図１は、実施例１にかかるタブレット端末を説明する図である。タブレット端末１は、様々な方式のタッチパネル２とタッチパネル２に表示される情報を操作するタッチペン３などの入力デバイスとを有する。タッチパネル２は、例えば静電容量型、電磁誘導型、静電容量型と電磁誘導型を併用したものを採用することができる。このタブレット端末１は、指や手のひらなどの生体による第１の操作モードとタッチペンによる第２の操作モードとを実行する。第１の操作モードの一例としては、情報の拡大や縮小を実行し、第２の操作モードの一例としては、文字入力などである。
【００１１】
なお、タブレット端末１は、タブレット端末単体であっても、液晶分離型パソコンなどから分離されたタブレット端末であってもよい。さらに、タブレット端末１とタッチペン３とは各種ケーブルで接続されていてもよく、分離されていてもよい。また、本実施例では、タッチパネル２に国語や算数などの問題を表示させて、答えなどを受け付ける教育システムを例にして説明するが、これに限定されるものではなく、タッチパネル２を用いた他のシステムにも適用することができる。
【００１２】
このようなタブレット端末１は、タッチパネル２で生体を検知した場合は、第１の操作モードを選択し、タッチパネル２でタッチペン３を検知した場合は、第２の操作モードを選択する。タブレット端末１は、第１の操作モードまたは第２の操作モードを用いて、タッチパネル２に表示される情報への操作を実行する。
【００１３】
このように、タブレット端末１は、モード切替ボタンを押下するなどの切替操作を受け付けることなく、タッチパネル２で検知した情報にしたがって、適切なモードに自動で切り替えることができる。この結果、タブレット端末１は、ユーザの利便性を向上させることができる。
【００１４】
［機能構成］
図２は、実施例１にかかるタブレット端末１の機能構成例を示す機能ブロック図である。図２に示すように、タブレット端末１は、表示部１１、記憶部１２、制御部１３を有する。
【００１５】
表示部１１は、各種情報を表示する処理部であり、例えば図１に示したタッチパネル２に該当する。この表示部１１は、国語や算数などの問題などを表示する。記憶部１２は、制御部１３が実行するプログラムや各種データを記憶する記憶装置であり、例えばメモリやハードディスクなどである。この記憶部１２は、例えば各種閾値、判定結果、表示対象のデータなどを記憶する。
【００１６】
制御部１３は、タブレット端末１全体の処理を司る処理部であり、例えばプロセッサなどである。この制御部１３は、表示制御部１４、選択部１５、手操作実行部１６、ペン操作実行部１７を有する。なお、表示制御部１４、選択部１５、手操作実行部１６、ペン操作実行部１７は、プロセッサが有する電子回路の一例やプロセッサが実行するプロセスの一例である。
【００１７】
表示制御部１４は、表示部１１に情報を表示させる処理部である。例えば、表示制御部１４は、記憶部１２に記憶されるデータを読み出して、表示部１１に表示させる。
【００１８】
選択部１５は、表示部１１に対する動作モード選択する処理部である。具体的には、選択部１５は、指やタッチペン３などを検知し、検知結果に応じて、タッチパネル２に対する操作モードを選択する。そして、選択部１５は、選択した操作モードに対して、処理開始を指示する。
【００１９】
例えば、選択部１５は、タッチパネル２上で指の接触を検知した場合は、第１の操作モードを選択し、手操作実行部１６に処理開始を指示する。また、選択部１５は、タッチパネル２上でタッチペン３の接触を検知した場合は、第２の操作モードを選択し、ペン操作実行部１７に処理開始を指示する。このように、選択部１５は、タッチパネル２に接触したのが指かタッチペン３かによって、操作モードを選択する。
【００２０】
なお、タッチパネル２に接触したものが生体かタッチペン３かを判定する手法は様々な手法を採用することができる。例えば、選択部１５は、タッチペン３でタッチパネル２を操作する時の圧力値の範囲である第１の範囲と指でタッチパネル２を操作する時の圧力値の範囲である第２の範囲を保持する。そして、選択部１５は、タッチパネル２で接触を検知した時の圧力値がいずれの範囲に属するかによって、つまり筆圧にしたがって、接触したものが生体かタッチペン３かを特定する。
【００２１】
上記手法に限らず、他の方法で操作モードを選択することもできる。例えば、選択部１５は、タッチペン３のイベントをタッチパネル２で検知した場合、第２の操作モードを選択することもできる。具体的には、選択部１５は、タッチパネル２から所定距離の範囲内で、タッチペン３を検知した場合、第２の操作モードを選択する。つまり、選択部１５は、タッチペン３がタッチパネル２に接触していない状態であっても、タッチパネル２で検出可能な位置にタッチペン３が接近したことが検知できた場合は、第２の操作モードを選択する。
【００２２】
非接触のタッチペン３を検知する手法は、既存の様々な手法や既存のドライバなどを採用することができる。例を挙げると、タブレット端末１とタッチペン３とが各種ケーブルで接続されている場合、選択部１５は、非接触型通信などを用いて検知することができる。別例としては、非接触状態であっても静電容量型のタッチパネル２で検出できる素材をタッチペン２の先端に使用する手法を採用することができる。
【００２３】
また、選択部１５は、電磁誘導型のタッチパネル２などの場合、タッチペン３から出力される電磁波をタッチパネル２が検知した時に、タッチペン３の接触もしくは接近を検知することもできる。つまり、選択部１５は、タッチパネル２と非接触状態であっても、タッチペン３から出力される微小の電磁波を検出した場合は、タッチペン３の接近を検出することができる。このように、選択部１５は、電磁波の有無によって、操作モードを切り替えることができる。
【００２４】
さらに、選択部１５は、タッチパネル２から電磁波を出力し、その電磁波の反射によって、生体かタッチペン３かを判定することもできる。例えば、選択部１５は、反射した電磁波の量が閾値以上であればタッチペン３と検知し、反射した電磁波の量が閾値未満であれば生体と検知する。つまり、選択部１５は、タッチパネル２から出力される微小の電磁波の反射を検出し、閾値以上の反射が検出された場合にタッチペン３の接近を検出することができる。
【００２５】
このように、選択部１５は、これらの手法を用いて閾値以上の電磁波を検知した場合に、タッチパネル２に非接触状態であるタッチペン３を検知できる。これら以外にも、選択部１５は、タッチパネル２で閾値以上の静電容量値が検出された領域の大きさが閾値以上であれば、生体の接触と判定し、閾値未満であればタッチペン３の接触もしくは接近と判定することもできる。なお、ここで使用される閾値も幅を持たせることができる。
【００２６】
また、選択部１５は、第１の操作モードより第２の操作モードを優先させることができる。例えば、選択部１５は、タッチパネル２で指の接触を検知した後、タッチパネル２でタッチペン３を検知した場合、第１の操作モードを抑制して、第２の操作モードに切り替えることができる。つまり、選択部１５は、指や手のひらなどの生体を先に検知した後、タッチペン３を検知した場合は、先に第１の操作モードが選択されるが、遅滞なく第２の操作モードに切り替える。
【００２７】
また、選択部１５は、タッチパネル２に対するタッチペン３の接近や接触を検出すると、タッチパネル２に表示するスワイプ操作やピンチアウトなどを受け付けても、表示内容変更を抑制し、かつ、タッチペン３による入力を行わせる。また、選択部１５は、タッチペン３の接近が検出されると、タッチパネル２に表示した表示対象の、所定の操作に応じた表示位置の移動又は切り替えを規制する。また、選択部１５は、タッチペン３の接近を検出すると、タッチペン３の接近前ではタッチパネル２に表示した表示対象の表示位置を移動させるスワイプ操作などを検出しても、表示対象の表示位置は移動させないように制御する。つまり、選択部１５は、タッチペン３を検出した後は、手によるスワイプ操作などを規制する。
【００２８】
手操作実行部１６は、手や手のひらなどの生体による操作を実行する処理部である。一例を挙げると、手操作実行部１６は、手によるダブルクリックやピンチアウトなどをタッチパネル２上で受け付けると、タッチパネル２に表示される情報の拡大や縮小を実行する。また、手操作実行部１６は、スワイプ操作などをタッチパネル２上で受け付けると、タッチパネル２に表示される情報のページ切替などを実行する。
【００２９】
ペン操作実行部１７は、タッチペン３を用いた各種操作を実行する処理部である。一例を挙げると、ペン操作実行部１７は、タッチパネル２上でタッチペン３が操作した軌跡を取得して、タッチペン３で操作された領域に文字入力を実行する。また、ペン操作実行部１７は、タッチパネル２上に表示される削除ボタンなどの選択を受け付けると、タッチペン３で指定された領域に入力された文字情報を削除する。
【００３０】
例えば、ペン操作実行部１７は、タッチペン３の位置を検出し、検出した複数の位置に基づいて、タッチペン３の入力軌跡を特定する。そして、ペン操作実行部１７は、特定した入力軌跡に応じた表示を実行する。このようにすることで、ペン操作実行部１７は、ユーザがタッチペン３を用いてタッチパネル２上に「あ」と書くと、タッチパネル２に「あ」を表示し、タッチパネル２上に「Ａ」と書くと、タッチパネル２に「Ａ」を表示する。
【００３１】
［各種操作の具体例］
次に、図３−図５を用いて、操作モードの選択および各種操作の具体例を説明する。図３は、ペン操作を説明する図である。図４は、指操作を説明する図である。図５は、操作切替を説明する図である。図３から図５では、タブレット端末１のタッチパネル２上には、回答欄である指定領域４ａおよび４ｂを有する国語の問題４が表示されている例で説明する。
【００３２】
図３に示すように、指定領域４ａおよび４ｂを有する国語の問題４が表示されている状態において、選択部１５は、指などの生体およびタッチペン３がタッチパネル２と非接触状態であるときに、タッチパネル２上でタッチペン３のイベントＡを検知すると、ペン操作である第２の操作モードを選択する。この結果、ペン操作実行部１７は、指定領域４ａへの文字入力を実行する。
【００３３】
また、図４に示すように、指定領域４ａおよび４ｂを有する国語の問題４が表示されている状態において、選択部１５は、タッチペン３を検知することなく、ピンチアウトなどの指操作のみを受け付けると、生体による操作である第１の操作モードを選択する。この結果、手操作実行部１６は、タッチパネル２に表示される問題４の拡大や縮小を実行する。
【００３４】
また、図５に示すように、指定領域４ａおよび４ｂを有する国語の問題４が表示されている状態において、選択部１５は、タッチペン３を持った手の手のひらをタッチパネル２上で検知すると、第１の操作モードを選択する。しかし、その後、選択部１５は、タッチパネル２上でタッチペン３のイベントＡを検知すると、第１の操作モードから第２の操作モードに操作モードを切り替える。このようにすることで、紙媒体への文字入力と同様の操作で、タッチパネル２へ文字を入力することができる。
【００３５】
［処理の流れ］
図６は、処理の流れを示すフローチャートである。図６に示すように、タブレット端末１の選択部１５は、タッチパネル２の画面への接触を検知すると（Ｓ１０１：Ｙｅｓ）、生体の接触か否かを判定する（Ｓ１０２）。
【００３６】
そして、選択部１５は、生体の接触である場合（Ｓ１０２：Ｙｅｓ）、さらに、タッチペン３の接触も検知したかを判定する（Ｓ１０３）。ここで、選択部１５は、タッチペン３の接触を検知しない場合（Ｓ１０３：Ｎｏ）、指操作モードを選択する（Ｓ１０４）。一方、選択部１５は、さらに、タッチペン３の接触を検知した場合（Ｓ１０３：Ｙｅｓ）、ペン操作モードを選択する（Ｓ１０５）。
【００３７】
また、Ｓ１０２において、選択部１５は、生体の接触ではなく（Ｓ１０２：Ｎｏ）、タッチペン３の接触を検知した場合（Ｓ１０６：Ｙｅｓ）、ペン操作モードを選択する（Ｓ１０５）。一方、選択部１５は、生体の接触ではなく（Ｓ１０２：Ｎｏ）、タッチペン３の接触でもない場合（Ｓ１０６：Ｎｏ）、処理を終了する。例えば、選択部１５は、指操作モードでもペン操作モードでもなく、表示データの切替や表示の終了などのような予め指定された操作を実行することもできる。
【００３８】
［効果］
上述したように、タブレット端末１は、指操作やペン操作の延長で操作モードを切り替えることができる。したがって、ユーザは、手による拡大縮小やタッチペンによる文字入力を頻繁に繰り返す場合でも、ボタン操作を省略して、操作モードを切り替えることができる。この結果、タブレット端末１は、ユーザの利便性を向上させることができる。
【００３９】
また、タブレット端末１は、タッチパネル２から所定距離の範囲内で、タッチペン３を検知した場合、第２の操作モードを選択することができる。したがって、タブレット端末１は、ユーザが持っているタッチペンを素早く検知できるので、タッチペン３の接触から文字入力までの時間を短縮できる。この結果、タブレット端末１は、ユーザの利便性をさらに向上させることができる。
【００４０】
また、タブレット端末１は、タッチペン３の接近を検出すると、タッチペン３の接近前ではタッチパネル２に表示した表示対象の表示位置を移動させるスワイプ操作などを検出しても、表示対象の表示位置は移動させない。このように、タブレット端末１は、指操作モードを選択した後もペン操作モードを優先することができる。この結果、ユーザが意図したとおりの操作モードの選択を自動的に適切に行う事ができるため、ユーザービリティが向上し、ユーザはタブレット端末を紙媒体への文字入力と同様の操作で、タッチパネル２へ文字を入力することができる。
【実施例２】
【００４１】
さて、これまで本発明の実施例について説明したが、本発明は上述した実施例以外にも、種々の異なる形態にて実施されてよいものである。
【００４２】
［表示例］
図７は、表示例を説明する図である。図７に示すように、タブレット端末１は、ユーザ操作を受け付けることで、入力した書き順と正しい書き順とをタッチパネル２上に表示させることができる。このような文字入力に関する情報が表示されている場合、選択部１５は、第２の操作モードに固定することができる。この結果、ユーザは、タッチペン３を離しても操作モードを固定することができるので、辞書による確認など別の操作を並行して行うことができる。
【００４３】
［操作例］
例えば、選択部１５は、予め指定された領域内でタッチペン３を検知した場合は第２の操作モードを選択し、領域外でタッチペン３を検知した場合は第１の操作モードを選択することもできる。例えば、図３の場合、選択部１５は、指定領域４ａまたは４ｂ内でタッチペン３を検知した場合に第２の操作モードを選択する。このようにすることで、タブレット端末１は、第２の操作モードと第１の操作モードとの切替時間を短縮することができる。
【００４４】
また、選択部１５は、第２の操作モードを選択した場合は、タッチペン３が検知されなくなってから所定時間経過するまで、第２の操作モードを維持することもできる。この場合、ペン操作実行部１７は、タッチペン３によるダブルクリックなどを検知すると、拡大や縮小などを実行することもできる。
【００４５】
また、選択部１５は、タッチペン３の接近を検出すると、タッチパネル２に表示した表示対象の表示位置の移動を規制する、又は、タッチパネル２に表示した表示対象の表示位置の移動をメニューを用いた指示に制限する。例えば、タブレット端末１は、ペン操作モードが選択されている間は、生体による操作を抑制するが、タッチパネル２に表示される、教育システムなどのメニュー画面に対する操作は許容する。このため、タブレット端末１は、ペン操作モードが選択されている間であっても、メニューを用いた画面遷移や画面の拡大縮小を許容することができる。
【００４６】
このように、操作装置を検知する領域や表示している情報に応じて操作モードの固定や切替の判断を行うことによって、表示する情報やユーザの意図する操作に応じた、操作モードの切替が行えるようになる。これにより、ユーザによるタブレット端末の操作性が向上し、さらに利便性が向上する。なお、上記例では、入力デバイスの一例としてタッチペン３を用いて説明したが、これに限定されるものではなく、電磁波などを出力できる他のデバイスを採用することができる。
【００４７】
［システム］
また、図２に示した構成は、必ずしも物理的に図示の如く構成されていることを要しない。すなわち、任意の単位で分散または統合して構成することができる。例えば、手操作実行部１６とペン操作実行部１７を統合することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００４８】
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００４９】
上記実施例では、独立したタブレット端末１について説明したが、液晶分離型パソコンなどから分離されたタブレット端末であっても同様に処理することができる。この場合、本体側で上述した処理を実行してもよく、タブレット端末側で実行してもよく、分散させて処理させることもできる。
【００５０】
［ハードウェア］
上記タブレット端末１は、例えば、次のようなハードウェア構成を有するコンピュータにより実現することができる。図８は、ハードウェア構成例を説明する図である。図８に示すように、タブレット端末１は、通信インタフェース１ａ、ＨＤＤ（Hard  Disk  Drive）１ｂ、タッチパネル１ｃ、メモリ１ｄ、プロセッサ１ｅを有する。
【００５１】
通信インタフェース１ａの一例としては、ネットワークインタフェースカードなどであり、他の装置との通信を制御する。ＨＤＤ１ｂは、各種情報を記憶する記憶装置である。タッチパネル１ｃは、各種情報を表示し、ユーザ操作を受け付ける表示装置である。
【００５２】
メモリ１ｄの一例としては、ＳＤＲＡＭ（Synchronous  Dynamic  Random  Access  Memory）等のＲＡＭ（Random  Access  Memory）、ＲＯＭ（Read  Only  Memory）、フラッシュメモリ等が挙げられる。また、プロセッサ１ｅの一例としては、ＣＰＵ（Central  Processing  Unit）、ＤＳＰ（Digital  Signal  Processor）、ＦＰＧＡ（Field  Programmable  Gate  Array）、ＰＬＤ（Programmable  Logic  Device）等が挙げられる。
【００５３】
また、タブレット端末１のプロセッサ１ｅは、プログラムを読み出して実行することで操作制御方法を実行する情報処理装置として動作する。つまり、プロセッサ１ｅは、表示制御部１４、選択部１５、手操作実行部１６、ペン操作実行部１７と同様の機能を実行するプログラムをＨＤＤ１ｃから読み出してメモリ１ｄに展開する。この結果、プロセッサ１ｅは、表示制御部１４、選択部１５、手操作実行部１６、ペン操作実行部１７と同様の機能を実行するプロセスを実行することができる。なお、この他の実施例でいうプログラムは、タブレット端末１によって実行されることに限定されるものではない。例えば、他のコンピュータまたはサーバがプログラムを実行する場合や、これらが協働してプログラムを実行するような場合にも、本発明を同様に適用することができる。
【００５４】
このプログラムは、インターネットなどのネットワークを介して配布することができる。また、このプログラムは、ハードディスク、フレキシブルディスク（ＦＤ）、ＣＤ−ＲＯＭ、ＭＯ（Magneto−Optical  disk）、ＤＶＤ（Digital  Versatile  Disc）などのコンピュータで読み取り可能な記録媒体に記録され、コンピュータによって記録媒体から読み出されることによって実行することができる。
【符号の説明】
【００５５】
１  タブレット端末
２  タッチパネル
３  タッチペン
１１  表示部
１２  記憶部
１３  制御部
１４  表示制御部
１５  選択部
１６  手操作実行部
１７  ペン操作実行部
【図１】
2017083973.tif 000003
【図２】
2017083973.tif 000004
【図３】
2017083973.tif 000005
【図４】
2017083973.tif 000006
【図５】
2017083973.tif 000007
【図６】
2017083973.tif 000008
【図７】
2017083973.tif 000009
【図８】
2017083973.tif 000010